(57)【要約】 【課題】物を出し入れする際、ポケット口において、表皮材と細長い樹脂芯プレートとが擦れても異音の発生を未然に防止する。 【解決手段】ポケット口１６が、適宜の折返し長さで表皮片１１の所定の表皮端末１２を裏に折り、そして、袋縫いされる芯通し袋１７、および表面１９の両端部分２２、２３にしぼ２４、２５付けされ、そして、その芯通し袋１７に挿入される細長い樹脂芯プレート１８で形成され、そして、その表皮片１１の残りの表皮端末１３、１４、１５でシート・バック背裏側表皮５４に縫い付けられる。 【選択図】図３
2007054460.tif 000002
【特許請求の範囲】
【請求項１】
ポケット口が、適宜の折返し長さで表皮片の所定の表皮端末を裏に折り、そして、袋縫いされる芯通し袋、および表面の両端部分にしぼ付けされ、そして、その芯通し袋に挿入される細長い樹脂芯プレートで形成され、そして、その表皮片の残りの表皮端末でシート・バック背裏側表皮に縫い付けられるところのシートバックに用いるポケット。 
【請求項２】
その細長い樹脂芯プレートが、その表面全体にしぼ付けされる請求項１に記載のシート・バックに用いるポケット。 
【請求項３】
その細長い樹脂芯プレートが、それの中央部分を裏面側に湾曲させる請求項１および２の何れかに記載のシート・バックに用いるポケット。 
【請求項４】
その細長い樹脂芯プレートが、その裏面に複数のリブを幅方向に適宜の間隔を置き、そして、長さ方向に伸びて突き出される請求項１ないし３の何れかに記載のシート・バックに用いるポケット。 
【発明の詳細な説明】
【技術分野】
【０００１】
この発明は、乗り物シートのシート・バックの背裏に付けられるポケットの改良に関する。 
【背景技術】
【０００２】
自動車のフロント・シートやセカンド・シートのシート・バックの背裏に付けられるポケットは、ラミネートされたシート表皮材から所定の形状、寸法に切断された表皮片を用い、そして、ポケット口がその表皮片の端末を裏に折って袋縫いされる芯通し袋に細長い樹脂芯プレートを挿入して形成されるので、物を入れたり出したりする際、その芯プレートとその表皮とが互いに擦れて異音が発生される。 
【特許文献１】特開２００１−２１１９６７公報
【発明の開示】
【発明が解決しようとする課題】
【０００３】
この発明の課題は、物を出し入れする際、ポケット口において表皮材と細長い樹脂芯プレートとが擦れても異音の発生を未然に防止するところのシート・バックに用いるポケットの提供にある。 
【課題を解決するための手段】
【０００４】
この発明は、ポケット口が、適宜の折返し長さで表皮片の所定の表皮端末を裏に折り、そして、袋縫いされる芯通し袋、および表面の両端部分にしぼ付けされ、そして、その芯通し袋に挿入される細長い樹脂芯プレートで形成され、そして、その表皮片の残りの表皮端末でシート・バック背裏側表皮に縫い付けられる。 
【発明の効果】
【０００５】
この発明では、ポケットに物を出し入れする際、表皮片の端末で袋縫いされる芯通し袋とその芯通し袋に挿入された細長い樹脂芯プレートとが擦れてもその擦れがその細長い樹脂芯プレートの表面の両端部分に付けられたしぼで緩和され、そして、異音の発生が未然に防止される。 
【発明を実施するための最良の形態】
【０００６】
ポケット材料が、ラミネートされた表皮材から所定の形状、寸法の表皮片に切断され、そして、ポケット口が、適宜の折返し長さで表皮片の所定の表皮端末を裏に折り、そして、袋縫いされる芯通し袋、および表面の両端部分にしぼ付けされ、そして、その芯通し袋に挿入される細長い樹脂芯プレートで形成され、そして、その表皮片の残りの表皮端末でシート・バック背裏側表皮に縫い付けられる。勿論、その細長い樹脂芯プレートは、その表面全体にしぼ付けされるのが望ましい。 
【実施例１】
【０００７】
以下、特定されて図示された具体例に基づいて、この発明のシート・バックに用いるポケットを説明するに、図１ないし図３は、この発明のシート・バックに用いるポケットの具体例１０を備えるところの乗用車のフロント・シート５０を示し、そして、そのフロント・シート５０は、シート・トラックを組み込むシート・クッション５１、左右のリクライニング・デバイスでそのシート・クッション５１に前倒しおよび角度調整可能に支持されるシート・バック５２、およびそのシート・バック５２に取り外し可能に取り付けられるヘッドレスト５３で組み立てられ、そして、そのシート・トラックでその乗用車のフロアに据え付けられる。そして、そのように組み立てられるそのフロント・シート５０は、そのシート・バック５２の背裏側表皮５４にそのポケット１０を縫い付けている。 
【０００８】
そのポケット１０では、ポケット材にはそのフロント・シート５０の表皮材でラミネートされた表皮材が用いられる。そして、このポケット１０では、その表皮材から所定の形状、寸法の表皮片１１に切断され、そして、ポケット口１６が、適宜の折返し長さでその表皮片１１の所定の表皮端末１２を裏に折り、そして、袋縫いされる芯通し袋１７、および表面１９の両端部分２２、２３にしぼ２４、２５を付け、そして、その芯通し袋１７に挿入される細長い樹脂芯プレート１８で形成され、そして、その表皮片１１の残りの表皮端末１３、１４、１５でそのシート・バック５２のその背裏側表皮５４に縫い付けられる。 
【０００９】
したがって、このポケット１０では、物を出し入れする際、その表皮片１１のその端末１２で袋縫いされるその芯通し袋１７とその芯通し袋１７に挿入されたその細長い樹脂芯プレート１８とが互いに擦れてもその擦れがその細長い樹脂芯プレート１８のその表面１９のその両端部分２２、２３に付けられたそのしぼ２４、２５で緩和され、そして、異音の発生が未然に防止される。 
【００１０】
その細長い樹脂芯プレート１８はその表面全体にしぼ付けされるのが望ましい。そうするとその芯通し袋１７との擦れがさらに緩和されて異音の発生が回避される。 
また、その細長い樹脂芯プレート１８は、図４に示されたようにそれの中央部分２１を裏面２０の側に湾曲される細長い樹脂芯プレート３０にされるのが好ましい。その場合、そのポケット１０ではそのポケット口１６がその細長い樹脂芯プレート３０できつく、そして、確実に閉じられる。そして、この細長い樹脂芯プレート３０はその表面１９の全面にしぼ３１が付けられる。 
さらに、その細長い樹脂芯プレート１８は、図５に示されたようにその裏面２０に複数のリブ４１、４２を幅方向に適宜の間隔を置き、そして、長さ方向に伸びて突き出す細長い樹脂芯プレート４０に成形されてもかまわない。そうすると、その細長い樹脂芯プレート４０は曲げに強くなって折れ難くなる。 
【００１１】
先に図面を参照して説明されたところのこの発明の特定された具体例から明らかであるように、この発明の属する技術分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。 
【産業上の利用可能性】
【００１２】
上述から理解されるように、この発明のシート・バックに用いるポケットは、ポケット口が、適宜の折返し長さで表皮片の所定の表皮端末を裏に折り、そして、袋縫いされる芯通し袋、および表面の両端部分にしぼ付けされ、そして、その芯通し袋に挿入される細長い樹脂芯プレートで形成され、そして、その表皮片の残りの表皮端末でシート・バック背裏側表皮に縫い付けられるので、この発明のシートバックに用いるポケットでは、物を出し入れする際、その芯通し袋とその細長い樹脂芯プレートとが擦れてもその擦れがその表面のその両端部分に付けられたそのしぼで緩和され、そして、異音の発生が未然に防止され、その結果、乗用車、ワゴン、およびバンなどのフロント・シートやセカンド・シートにとって非常に有用で実用的である。 
【図面の簡単な説明】
【００１３】
【図１】この発明のシート・バックに用いるポケットの具体例を備えるところの乗用車のフロント・シートを後方から見て示した斜視図である。
【図２】図１の２−２線に沿って示した断面図である。
【図３】細長い樹脂芯プレートを示した斜視図である。
【図４】変形された細長い樹脂芯プレートを示した斜視図である。
【図５】さらに変形された細長い樹脂芯プレートを示した横断面図である。
【符号の説明】
【００１４】
１０    ポケット 
１１    表皮片 
１２    表皮端末 
１３    表皮端末 
１４    表皮端末 
１５    表皮端末 
１６    ポケット口 
１７    芯通し袋 
１８    細長い樹脂芯プレート 
１９    表面 
２０    裏面 
２２    端部分 
２３    端部分 
２４    しぼ 
２５    しぼ 
３０    細長い樹脂芯プレート 
４０    細長い樹脂芯プレート 
４１    リブ 
４２    リブ 
５０    フロント・シート 
５２    シート・バック 
５４    背裏側表皮 
【図１】
2007054460.tif 000003
【図２】
2007054460.tif 000004
【図３】
2007054460.tif 000005
【図４】
2007054460.tif 000006
【図５】
2007054460.tif 000007